(57)【要約】      （修正有）【課題】所要な個人情報を保護する状態で運転免許証等のカードをコピーすることができるカードコピー具を提供する。【解決手段】カード１２を保持した状態でコピーしうるように形成されたカード保持部１３と、上記カード保持部に保持されたカードに印刷された事項の中で保護する必要のある個人情報の印刷箇所を隠すための隠蔽部２６とを有し、上記カード保持部は、運転免許証を保持しうるように形成されている。上記カード保持部は、透明な合成樹脂製シート１５により形成され、表面シート部１６と、上記表面シート部に重合するように配置された裏面シート部１７とを有し、上記表面シート部と上記裏面シート部は下辺部が連続してその他の辺は開放するように形成され、運転免許証は上記表面シート部と上記裏面シート部との間に挟持されうるように形成されている。【選択図】図１
0003116300.tif 000002
【実用新案登録請求の範囲】
【請求項１】
カードを保持した状態でコピーしうるように形成されたカード保持部と、上記カード保持部に保持されたカードに表示された事項の中で保護する必要のある個人情報の表示箇所を隠すための隠蔽部とを有することを特徴とするカードコピー具。
【請求項２】
上記カード保持部は、運転免許証を保持しうるように形成されていることを特徴とする請求項１記載のカードコピー具。
【請求項３】
上記カード保持部は、透明な合成樹脂製シートにより形成され、表面シート部と、上記表面シート部に重合するように配置された裏面シート部とを有し、上記表面シート部と上記裏面シート部は下辺部が連続してその他の辺は開放するように形成され、運転免許証は上記表面シート部と上記裏面シート部との間に挟持されうるように形成されていることを特徴とする請求項１又は２記載のカードコピー具。
【請求項４】
上記カード保持部における上記表面シート部は、上記裏面シート部より上辺部が突出するように形成されていることを特徴とする請求項３記載のカードコピー具。
【請求項５】
上記隠蔽部は、運転免許証に表示された事項のうち本籍欄を隠蔽しうるように配置されていることを特徴とする請求項１〜４記載のカードコピー具。
【請求項６】
上記隠蔽部は、上記カード保持部における上記表面シート部の所定箇所が帯状に着色されることにより形成されていることを特徴とする請求項３〜５記載のカードコピー具。
【考案の詳細な説明】
【技術分野】
【０００１】
本考案はカードコピー具に係り、特に、所要な個人情報を保護する状態でカードをコピーしうるカードコピー具に関する。
【背景技術】
【０００２】
近年、不正で銀行口座が開設され、その銀行口座が振り込め詐欺等の犯罪に使用されるという事件が多発している。
【０００３】
この不正な銀行口座作成を防止するために、銀行では本人を確認するために必要書類の提示を求めている。
この確認書類として、一般的に運転免許証が使用されることが多い。
【０００４】
銀行では、提示された運転免許証で本人を確認しているが、証拠を残すために運転免許証をコピーして保管している。
【０００５】
運転免許証をコピーする際、個人情報保護の観点から本籍地は隠す必要がある。
従来、本籍地を隠すために、運転免許証の全体をコピーしてから、本籍地のコピー箇所だけ黒く塗って消去するという作業を行っていた。従って、コピー作業が煩雑であるという不具合があった。
【０００６】
本出願人は、上記不具合を解消しうるカードコピー具について先行技術を調査したが、関連する先行技術文献を見出すことはできなかった。
【考案の開示】
【考案が解決しようとする課題】
【０００７】
そこで本考案の課題は、所要な個人情報を保護する状態でカードをコピーすることができて、コピーしてから必要箇所を消すという煩雑な作業を省略することができるカードコピー具を提供することにある。
【課題を解決するための手段】
【０００８】
上記課題を解決するために、請求項１記載の本考案に係るカードコピー具は、カードを保持した状態でコピーしうるように形成されたカード保持部と、上記カード保持部に保持されたカードに表示された事項の中で保護する必要のある個人情報の表示箇所を隠すための隠蔽部とを有することを特徴とするものである。
【０００９】
即ち、請求項１記載の本考案に係るカードコピー具にあっては、カードが上記カード保持部に保持された状態では、上記カード保持部に設けられた上記隠蔽部が、上記カードに表示された事項の中で保護する必要のある個人情報の表示箇所を隠蔽することになる。従って、上記カード保持部に保持されたままの状態で上記カードをコピーした場合に、上記保護する必要のある個人情報の表示箇所はコピーされないことになる。
【００１０】
また、請求項２記載の本考案に係るカードコピー具は、上記カード保持部は、運転免許証を保持しうるように形成されていることを特徴とする。
【００１１】
即ち、請求項２記載の本考案に係るカードコピー具にあっては、銀行等で本人確認のために提示される書類として運転免許証が多く、その運転免許証をコピーする必要性が高いことから、上記カードとして運転免許証を対象としたものである。
【００１２】
また、請求項３記載の本考案に係るカードコピー具は、上記カード保持部は、透明な合成樹脂製シートにより形成され、表面シート部と、上記表面シート部に重合するように配置された裏面シート部とを有し、上記表面シート部と上記裏面シート部は下辺部が連続してその他の辺は開放するように形成され、運転免許証は上記表面シート部と上記裏面シート部との間に挟持されうるように形成されていることを特徴とする。
【００１３】
即ち、請求項３記載の本考案に係るカードコピー具にあっては、上記カードとしての運転免許証を保持しやすく、かつ、保持した状態で容易にコピーすることができるように、上記カード保持部は構成されている。
即ち、上記カード保持部が、透明な合成樹脂製シートにより形成され、表面シート部と、上記表面シート部に重合するように配置された裏面シート部とを有し、上記表面シート部と上記裏面シート部は下辺部が連続してその他の辺は開放するように形成され、運転免許証は上記表面シート部と上記裏面シート部との間に挟持されうるように形成されていることにより、上記運転免許証を保持するのが容易で、かつ、運転免許証を保持した状態でも容易にコピーすることができる。
【００１４】
また、請求項４記載の本考案に係るカードコピー具は、上記カード保持部における上記表面シート部は、上記裏面シート部より上辺部が突出するように形成されていることを特徴とする。
【００１５】
即ち、請求項４記載の本考案に係るカードコピー具にあっては、上記カード保持部に上記運転免許証を保持しやすくするために、上記表面シート部は、上記裏面シート部より上辺部が突出するように形成されている。
即ち、上記表面シート部における上辺突出部を指で摘むことができるので、上記表面シート部と上記裏面シート部との間を拡開しやすくなり、これにより、上記表面シート部と上記裏面シート部との間に上記運転免許証を挿入しやすくなる。
【００１６】
また、請求項５記載の本考案に係るカードコピー具は、上記隠蔽部は、運転免許証に表示された事項のうち本籍欄を隠蔽しうるように配置されていることを特徴とする。
【００１７】
即ち、請求項５記載の本考案に係るカードコピー具にあっては、運転免許証に表示された事項のうち本籍が第三者に知られた場合に最も危険性が多く、保護すべき個人情報であることから、運転免許証の本籍欄を隠蔽するようにしたものである。
【００１８】
また、請求項６記載の本考案に係るカードコピー具は、上記隠蔽部は、上記カード保持部における上記表面シート部の所定箇所が帯状に着色されることにより形成されていることを特徴とする。
【００１９】
即ち、請求項６記載の本考案に係るカードコピー具にあっては、上記隠蔽部は、上記カード保持部における上記表面シート部の所定箇所が帯状に着色されることにより形成されていることから、保護すべき個人情報、例えば運転免許証の本籍欄等が容易かつ確実に隠蔽されることになる。
【考案の効果】
【００２０】
請求項１記載の本考案に係るカードコピー具は、カードを保持した状態でコピーしうるように形成されたカード保持部と、上記カード保持部に保持されたカードに表示された事項の中で保護する必要のある個人情報の表示箇所を隠すための隠蔽部とを有することから、個人情報が印刷されたカードを上記カード保持部で保持すると共に、上記個人情報の中の保護すべき事項を上記隠蔽部により隠蔽した状態でカードをコピーすることができるので、コピーされたものには初めから保護すべき個人情報が消去されていることになる。
従って、コピーした後で、保護すべき個人情報を消去するという煩雑な作業を省略し、コピー作業を簡便化することができる。
【００２１】
また、請求項２記載の本考案に係るカードコピー具は、上記カード保持部は、運転免許証を保持しうるように形成されていることから、例えば銀行で口座を開設する場合等に、本人確認のために運転免許証が提示され、その運転免許証をコピーする際に、運転免許証に印刷された事項の中で保護すべき事項を隠蔽した状態でコピーすることができる。
【００２２】
また、請求項３記載の本考案に係るカードコピー具は、まず、上記カード保持部が透明な合成樹脂製シートにより形成されていることから、上記カード保持部に運転免許証を保持した状態のままで容易に運転免許証をコピーすることができる。
次に、表面シート部と、上記表面シート部に重合するように配置された裏面シート部とを有し、上記表面シート部と上記裏面シート部は下辺部が連続してその他の辺は開放するように形成され、運転免許証は上記表面シート部と上記裏面シート部との間に挟持されうるように形成されていることから、上記表面シート部と上記裏面シート部との間に挟むだけで運転免許証を簡単に保持することができる。
また、運転免許証を保持する場合は、上記表面シート部と上記裏面シート部の連続した下辺部以外の箇所から、上記表面シート部と上記裏面シート部の間に挿入できるので、容易に保持することができる。
【００２３】
また、請求項４記載の本考案に係るカードコピー具は、上記カード保持部における上記表面シート部は、上記裏面シート部より上辺部が突出するように形成されていることから、上記表面シート部の上辺突出部を指で摘んで容易に上記表面シート部と上記裏面シート部との間を拡開することができる。従って、運転免許証を上記表面シート部と上記裏面シート部との間に上辺部から容易に挿入して保持することができる。
【００２４】
また、請求項５記載の本考案に係るカードコピー具は、上記隠蔽部は、運転免許証に表示された事項のうち本籍欄を隠蔽しうるように配置されていることから、本籍から保護すべき個人情報が漏れるのを防止することができる。
【００２５】
また、請求項６記載の本考案に係るカードコピー具は、上記隠蔽部は、上記カード保持部における上記表面シート部の所定箇所が帯状に着色されることにより形成されていることから、上記隠蔽部を印刷等の方法により容易に形成することができる。
【考案を実施するための最良の形態】
【００２６】
以下、図面を用いて本考案の実施の形態について説明する。
本実施の形態に係るカードコピー具１１は、図１に示すように、カード１２を保持した状態でコピーしうるように形成されたカード保持部１３と、上記カード保持部１３に保持されたカード１２に表示された事項の中で保護する必要のある個人情報の表示箇所を隠すための隠蔽部２６とを有している。
また、上記カード保持部１３は、図２及び図３に示すように、運転免許証１４を保持しうるように形成されている。
また、上記カード保持部１３は、図１に示すように、透明な合成樹脂製シート１５により形成され、表面シート部１６と、上記表面シート部１６に重合するように配置された裏面シート部１７とを有し、上記表面シート部１６と上記裏面シート部１７は下辺部１８，１９が連続してその他の辺は開放するように形成され、運転免許証１４は、図２及び図３に示すように、上記表面シート部１６と上記裏面シート部１７との間に挟持されうるように形成されている。
また、上記カード保持部１３における上記表面シート部１６は、図１及び図３に示すように、上記裏面シート部１７より上辺部２５が突出するように形成されている。
また、上記隠蔽部２６は、図２に示すように、運転免許証１４に表示された事項のうち本籍欄２９を隠蔽しうるように配置されている。
また、上記隠蔽部２６は、図１及び図３に示すように、上記カード保持部１３における上記表面シート部１６の所定箇所が帯状に着色されることにより形成されている。
【実施例１】
【００２７】
図は実施例に係るカードコピー具１１を示したものである。
本実施例に係るカードコピー具１１は、図１〜図３に示すように、カード１２を保持した状態でコピーしうるように形成されたカード保持部１３を有している。
【００２８】
なお、本実施例に係るカードコピー具１１は、上記カード１２として、図１に示すように、運転免許証１４を想定している。
即ち、上記カード保持部１３は、運転免許証１４を保持しうるように形成されている。
【００２９】
上記カード保持部１３は、図１に示すように、全体が透明な合成樹脂製シート１５により形成されている。なお、本実施例では上記合成樹脂製シート１５としてＰＥＴを使用している。
しかしながら、塩ビ、その他の透明な合成樹脂製シートを使用することも可能である。
【００３０】
上記カード保持部１３は、図１に示すように、表面シート部１６と、裏面シート部１７とにより構成されている。
【００３１】
上記表面シート部１６と上記裏面シート部１７は、図１に示すように、互いに重合するように配置されており、上記表面シート部１６の下辺部１８と上記裏面シート部１７の下辺部１９は連続形成されている。
即ち、上記表面シート部１６と上記裏面シート部１７は連続していて、上記裏面シート部１７は上記表面シート部１６の下辺部１８から折り返すように形成されている。
【００３２】
従って、上記のように重合配置された上記表面シート部１６と上記裏面シート部１７の間には、図１に示すように、間隙２０が形成されており、上記カード保持部１３は上記間隙２０として形成されている。
即ち、上記間隙２０の幅寸法は上記運転免許証１４の厚み寸法より僅かに大きく設定されている。
これにより、上記運転免許証１４は、図２及び図３に示すように、上記間隙２０に挿入され、上記表面シート部１６と上記裏面シート部１７との間に挟持された状態で保持されることになる。
【００３３】
上記カード保持部１３は上記のように、上記表面シート部１６の下辺部１８と上記裏面シート部１７の下辺部１９が連続しているため、図１に示すように、底面部２１が閉合された状態となっているが、上面部２２と左右の両側面部２３，２４は開放されている。
【００３４】
上記表面シート部１６は、図１〜図３に示すように、上記運転免許証１４とほぼ同一のサイズ及び形状を有している。これに対し、上記裏面シート部１７は上記表面シート部１６より高さ寸法が若干小さく設定されている。
従って、上記表面シート部１６は、上記裏面シート部１７より上辺部２５が突出するように形成されている。
【００３５】
上記表面シート部１６には、図１〜図３に示すように、上記カード保持部１３に保持された上記運転免許証１４に表示された事項の中で保護する必要のある個人情報の表示箇所を隠すための隠蔽部２６が設けられている。
【００３６】
上記隠蔽部２６は、図１〜図３に示すように、上記表面シート部１６の内面部における所定箇所が帯状に着色されることにより形成されている。
即ち、上記隠蔽部２６として不透明な帯状着色部２７が形成されている。
【００３７】
上記帯状着色部２７は上記表面シート部１６の内面部に印刷等により着色材を帯状に塗布することにより形成されている。
なお、本実施例では着色材の色として黒色が使用されているが、不透明であれば他の色彩にすることも可能である。
【００３８】
上記運転免許証１４には、図１に示すように、氏名欄２８、本籍欄２９、住所欄３０、生年月日欄３１、写真欄３２等が設けられているが、上記隠蔽部２６は上記本籍欄２９に対応するように配置されている。
即ち、保護すべき個人情報として本籍を想定している。
【００３９】
従って、上記カード保持部１３に上記運転免許証１４が保持された状態では、図２に示すように、上記本籍欄２９が上記隠蔽部２６としての上記帯状着色部２７により被覆されて、本籍欄２９は透視不能となる。
【００４０】
上記運転免許証１４は上記カード保持部１３により保持された状態のままでコピーすることができ、上記本籍欄３１に対応する箇所には黒い帯状線がコピーされる。
【００４１】
次に、上記実施例の作用について説明する。  
上記実施例に係るカードコピー具１１は、銀行等において口座を開設する人の運転免許証１４をコピーする場合に使用される。
即ち、図２及び図３に示すように、上記カード保持部１３にカード１２としての運転免許証１４を保持した状態でコピーしうるように形成されている。
【００４２】
運転免許証１４は、上記カード保持部１３を構成する上記表面シート部１６と上記裏面シート部１７との間に形成された上記間隙２０に挿入されて挟持されることにより、上記カード保持部１３に保持された状態となる。
上記運転免許証１４を上記間隙２０に挿入する場合、上記表面シート部１６は、上記裏面シート部１７より上辺部２５が突出するように形成されていることから、上記表面シート部１６における突出した上辺部２５を指で摘んで上記表面シート部１６を前方へ曲げることにより容易に上記間隙２０を拡開した状態で行うことができる。従って、運転免許証１４を上記間隙２０に挿入して、上記カード保持部１３に容易に保持させることができる。
【００４３】
上記カード保持部１３に保持された運転免許証１４は、上記表面シート部１６が透明な合成樹脂製シート１５により形成されていることから、外部から透視することができるが、上記表面シート部１６の内面部に形成された上記隠蔽部２６が、運転免許証１４における本籍欄２９と対応するように配置されていることから、運転免許証１４の本籍欄２９は隠蔽部２６により被覆された状態となる。
【００４４】
上記隠蔽部２６は、上記カード保持部１３における上記表面シート部１６の所定箇所が帯状に着色されることにより形成されていることから、運転免許証１４が上記カード保持部１３に保持された状態でコピーされると、上記帯状着色部２７がコピーされることになり、本籍欄２９の箇所には黒い帯状線がコピーされる。
従って、保護すべき個人情報としての本籍欄２９がコピーされないことから、本籍が悪意の第三者に知られて不正に使用されることを防止することができる。
【産業上の利用可能性】
【００４５】
本考案は、保護すべき個人情報が印刷されたカードをコピーする用具に適用可能である。
【図面の簡単な説明】
【００４６】
【図１】実施例に係るカードコピー具の運転免許証を保持する前の状態を示す斜視図である。
【図２】実施例に係るカードコピー具の運転免許証を保持した状態を示す斜視図である。
【図３】図２のＡ−Ａ線における断面図である。
【符号の説明】
【００４７】
１１  カードコピー具  
１２  カード
１３  カード保持部
１４  運転免許証
１５  合成樹脂製シート
１６  表面シート部
１７  裏面シート部
１８  下辺部
１９  下辺部
２０  間隙
２１  底面部
２２  上面部
２３  側面部
２４  側面部
２５  上辺部
２６  隠蔽部
２７  帯状着色部
２８  氏名欄
２９  本籍欄
３０  住所欄
３１  生年月日欄
３２  写真欄
【図１】
0003116300.tif 000003
【図２】
0003116300.tif 000004
【図３】
0003116300.tif 000005